(57)【要約】【課題】  返却数を監視することで、遊技の途中においても、各台計数機に対する不正計数を発見できる。【解決手段】  遊技機毎に設置される各台計数機とカード式玉貸機に対する不正計数を監視する計数異常検出装置であって、貸出した貸出遊技媒体数を集計する貸出数集計手段（Ｓ１２）と、返却した返却遊技媒体数を集計する返却数集計手段（Ｓ１３）と、遊技機での遊技により取得した取得遊技媒体数を集計する取得数集計手段（Ｓ１４）と、各集計手段で集計された遊技媒体数に基づいて計数異常を判定する計数異常判定手段（Ｓ１５，Ｓ１７，Ｓ２０）と、を備える構成としてある。【選択図】      図６
2010263987.tif 000002
【特許請求の範囲】
【請求項１】
遊技媒体を貸出す貸出手段と、遊技機で取得した遊技媒体を計数する計数手段と、この計数手段で計数された遊技媒体を返却する返却手段と、を備える遊技機毎に設置される遊技媒体貸出装置に対する不正計数を監視する計数異常検出装置であって、
前記返却手段が返却した返却遊技媒体数を集計する返却数集計手段と、
前記貸出手段が貸出した貸出遊技媒体数を集計する貸出数集計手段と、
当該遊技機での遊技により取得した取得遊技媒体数を集計する取得数集計手段と、
前記各集計手段で集計された遊技媒体数に基づいて計数異常を判定する計数異常判定手段と、を備えることを特徴とする計数異常検出装置。
【請求項２】
前記計数異常判定手段は、前記貸出遊技媒体数がゼロにもかかわらず、前記返却遊技媒体数があるときに、計数異常と判定する請求項１記載の計数異常検出装置。
【請求項３】
前記計数異常判定手段は、前記返却遊技媒体数が前記貸出遊技媒体数と前記取得遊技媒体数の加算値を超えたときに、計数異常と判定する請求項１記載の計数異常検出装置。
【請求項４】
前記計数異常判定手段は、前記貸出手段が遊技媒体を貸出してから前記遊技機が大当りとなるまでの前記貸出遊技媒体数に対する前記返却遊技媒体数の割合が所定の基準値を超えたときに、計数異常と判定する請求項１記載の計数異常検出装置。
【請求項５】
前記計数異常判定手段は、前記遊技機の大当りにより前記計数手段で計数された計数値が所定数を超えたときに、計数異常と判定する請求項１〜４のいずれか一項に記載の計数異常検出装置。
【請求項６】
前記所定数を、大当りにより取得した前記取得遊技媒体数と前記貸出遊技媒体数との加算値とした請求項５記載の計数異常検出装置。
【請求項７】
前記遊技機から出力される所定の遊技信号に基づいて遊技状態を判定する遊技状態判定手段を備える請求項１〜６のいずれか一項に記載の計数異常検出装置。
【請求項８】
前記遊技媒体貸出装置が、精算操作に基づいて所定のＩＤ情報が記録された記録媒体を発行する発行手段を備える場合において、
前記計数異常判定手段は、前記発行手段が異なる前記ＩＤ情報を有する複数の前記記録媒体を所定の期間内において発行したときに、計数異常と判定する請求項１〜７のいずれか一項に記載の計数異常検出装置。
【請求項９】
遊技媒体を貸出す貸出手段と、遊技機で取得した遊技媒体を計数する計数手段と、この計数手段で計数された遊技媒体を返却する返却手段と、精算操作に基づいて所定のＩＤ情報が記録された記録媒体を発行する発行手段と、を備える遊技機毎に設置される遊技媒体貸出装置と、前記記録媒体の発行時における前記計数手段で計数された計数値を前記ＩＤ情報毎に管理する管理装置と、前記記録媒体から前記ＩＤ情報を読取るとともに、このＩＤ情報に対応する前記計数値に基づいて所定の景品交換処理を行う景品交換処理装置と、がネットワークを介して接続された遊技場管理システムであって、
前記遊技媒体貸出装置に対する不正計数を監視する計数異常検出装置を備え、前記計数異常検出装置が、請求項１〜８に記載の計数異常検出装置であることを特徴とする遊技場管理システム。
【請求項１０】
前記管理装置は、前記遊技媒体貸出装置に対して行なわれた不正計数に関する情報を前記ＩＤ情報毎に管理し、
前記景品交換処理装置は、前記記録媒体から読取った前記ＩＤ情報に対応する前記不正計数に関する情報を取得して、所定の表示手段に表示させる請求項９記載の遊技場管理システム。
【発明の詳細な説明】
【技術分野】
【０００１】
本発明は、遊技機毎に設置された各台計数機に対する不正計数を監視する計数異常検出装置と、これを備える遊技場管理システムに関し、特に、計数された計数値に基づいて返却される返却数を監視することで、不正計数を早期に検出する計数異常検出装置と、これを備える遊技場管理システムに関する。
【背景技術】
【０００２】
遊技場には、遊技媒体を貸出す遊技媒体貸出装置が、パチンコ機やスロットマシンなどの遊技機毎に設置されており、この遊技媒体貸出装置に、現金や有価価値の記録された記録媒体（プリペードカード、ＩＣコインなど）、貯玉会員カードを投入することで、遊技媒体が貸出されて遊技者に提供される。
近年、この遊技媒体貸出装置と一体又は別体に、遊技媒体を計数する計数装置と、この計数装置で計数された遊技媒体を再び遊技者に返却する返却装置とを備える各台計数機の設置が増加している。
各台計数機は、貸出された遊技媒体を元にして当該遊技機で取得した遊技媒体を計数装置で計数させて、一時的に記憶させておくことができるとともに、この記憶した遊技媒体数を、遊技に供するために、遊技者の操作によって再び返却することができるように構成されている。
【０００３】
このような各台計数機の増加に伴い、各台計数機に対する不正行為が増えている。各台計数機に対する不正行為は、主に計数値を不正に増加させるもので、例えば、計数装置の内部に設けられた計数センサに、糸で吊るした遊技媒体を往復して通過させる行為などが知られている。
【０００４】
このような不正計数行為を発見するために、貸出された遊技媒体数と遊技機から払出された遊技媒体数との和より、遊技機に投入された遊技媒体数と計数値との和のほうが多いときに不正計数行為があったものと判断する不正行為検出装置が提案されている（特許文献１）。
【先行技術文献】
【特許文献】
【０００５】
【特許文献１】特開平１１−７６５８１号公報
【発明の概要】
【発明が解決しようとする課題】
【０００６】
しかしながら、特許文献１に記載された不正行為検出装置では、計数値に基づいて不正計数を判定する構成となっていることから、以下のような問題が解決できなかった。
例えば、特許文献１に記載された不正行為検出装置では、計数値を一定にさせつつ、頻繁に返却して窃取された遊技媒体はカウントされないことから、このような不正計数が看過されるおそれがあった。
【０００７】
本発明は、以上のような問題を解決するために提案されたものであり、返却された返却数に基づいて不正計数を早期に発見できる画期的な計数異常検出装置とこれを備える遊技場管理システムの提供を目的とする。
【課題を解決するための手段】
【０００８】
上記目的を達成するため、本発明の計数異常検出装置は、遊技媒体を貸出す貸出手段と、遊技機で取得した遊技媒体を計数する計数手段と、この計数手段で計数された遊技媒体を返却する返却手段と、を備える遊技機毎に設置される遊技媒体貸出装置に対する不正計数を監視する計数異常検出装置であって、前記返却手段が返却した返却遊技媒体数を集計する返却数集計手段と、前記貸出手段が貸出した貸出遊技媒体数を集計する貸出数集計手段と、当該遊技機での遊技により取得した取得遊技媒体数を集計する取得数集計手段と、前記各集計手段で集計された遊技媒体数に基づいて計数異常を判定する計数異常判定手段と、を備える構成としてある。
【０００９】
また、本発明の遊技場管理システムは、遊技媒体を貸出す貸出手段と、遊技機で取得した遊技媒体を計数する計数手段と、この計数手段で計数された遊技媒体を返却する返却手段と、精算操作に基づいて所定のＩＤ情報が記録された記録媒体を発行する発行手段と、を備える遊技機毎に設置される遊技媒体貸出装置と、前記記録媒体の発行時における前記計数手段で計数された計数値を前記ＩＤ情報毎に管理する管理装置と、前記記録媒体から前記ＩＤ情報を読取るとともに、このＩＤ情報に対応する前記計数値に基づいて所定の景品交換処理を行う景品交換処理装置と、がネットワークを介して接続された遊技場管理システムであって、前記遊技媒体貸出装置に対する不正計数を監視する計数異常検出装置を備え、前記計数異常検出装置が、請求項１〜８に記載の計数異常検出装置である構成としてある。
【発明の効果】
【００１０】
本発明の計数異常検出装置とこれを備える遊技場管理システムによれば、返却数を監視することで、遊技の途中においても、各台計数機に対する不正計数を発見できる。
【図面の簡単な説明】
【００１１】
【図１】本発明の一実施形態に係る遊技場管理システムの構成を模式的に示す説明図である。
【図２】本発明の一実施形態に係る遊技場管理システムの各装置間において送受される信号を示す説明図である。
【図３】本発明の一実施形態に係る各台計数機とカード式玉貸機を示す概略正面図である。
【図４】本発明の一実施形態に係る各台計数機の構成を示すブロック図である。
【図５】本発明の一実施形態に係る計数異常検出装置が検出する計数異常を時系列で示した説明図である。
【図６】本発明の一実施形態に係る計数異常検出装置において実行される計数異常を検出する処理を示すフローチャートである。
【図７】本発明の一実施形態に係る計数異常検出装置において実行される計数異常を検出する処理を示すフローチャートである。
【図８】本発明の一実施形態に係る計数値管理装置が管理するＩＣコイン毎の計数値と計数異常を示した説明図である。
【図９】本発明の一実施形態に係る遊技場管理システムの各装置間で送受される情報の流れを示すフローチャートである。
【発明を実施するための形態】
【００１２】
以下、本発明に係る計数異常検出装置と、これを備える遊技場管理システムの好ましい実施形態について、図面を参照して説明する。
図１は、本実施形態に係る遊技場管理システムの構成を模式的に示す説明図であり、図２は、この遊技場管理システムを構成する各装置間において送受される信号を示す説明図である。
また、図３は、本実施形態に係る各台計数機とカード式玉貸機を示す概略正面図であり、図４は、この各台計数機の構成を示すブロック図である。
【００１３】
これらの図に示すように、本実施形態に係る遊技場管理システム１は、各台計数機１０、カード式玉貸機２０、台コンピュータ３０、島コンピュータ４０、計数値管理装置５０、景品交換装置６０、ホールコンピュータ７０で構成され、これらの各装置が所定のネットワーク（例えば、ローカル・エリア・ネットワーク）を介して接続されている。
【００１４】
各台計数機１０とカード式玉貸機２０は、パチンコ機１００毎に設置され、各台計数機１０は、パチンコ機１００で取得した遊技球を計数する計数手段と、計数した遊技球を遊技者の操作に基づいて返却する返却手段と、を備え、カード式玉貸機２０は、所定の記録媒体を投入して、遊技球を貸出す貸出手段を備え、各台計数機１０とカード式玉貸機２０とで、本発明の遊技媒体貸出装置を構成している。
そして、これらに接続された台コンピュータ３０が本発明の計数異常検出装置として機能することで、各台計数機１０において計数される遊技球を不正に増加させる不正計数行為を早期に発見することができるようになっている。
以下、各装置について説明する。
【００１５】
各台計数機１０とカード式玉貸機２０は、図３に示すように、パチンコ機１００に隣接して設置される既存の遊技場設備である。
カード式玉貸機２０は、貸出手段の一例であり、カード投入口２１からプリペードカードなどの有価価値を有する記録媒体を投入して、このプリペードカードに記録された有価価値を示す度数の範囲内で、遊技球を貸出すことができるようになっている。また、会員カード投入口２２から貯玉会員カードを投入することで、ホールコンピュータ７０が記憶・管理する、会員が事前に蓄えた貯留遊技球数（貯玉数）の範囲内で、遊技球を引出して再プレイすることができるようになっている。
カード式玉貸機２０からは、貸出された遊技球数を示す貸玉数信号と、引出された遊技球数を示す再プレイ玉数信号とが出力され、それぞれ台コンピュータ３０に入力されている（図２参照）。
【００１６】
各台計数機１０は、計数手段と返却手段の一例であり、パチンコ機１００の下皿１０２から投下される遊技球を受入れる投入口１６、受入れた遊技球を計数する計数部１６ａ、計数された計数値を記憶する記憶部１７、計数値を表示する表示部１３、返却ボタン１２の操作に基づいて計数値の範囲内で遊技球を遊技者に返却するために外部に送出する返却部１４ａ、送出された遊技球をパチンコ機１００の上皿１０１に誘導するノズル１４、精算ボタン１１の操作に基づいてＩＣコイン８０を発行する発行部１５ａ、発行されたＩＣコイン８０が排出されるＩＣコイン返却口１５、台コンピュータ３０と通信を行う通信部１８、上記各部を制御する中央演算処理装置（ＣＰＵ）を備えるコンピュータからなる制御部１９などで構成されている。
【００１７】
計数部１６ａは、投入口１６から投入された遊技球をカウントする図示しないセンサ（例えば、フォトインタラプタや近接センサ）が内蔵され、このセンサが不正計数行為の対象となっている。
このセンサからの検出信号は、計数値信号として出力され、台コンピュータ３０に入力されている（図２参照）。
また、返却部１４ａは、遊技者に返却する遊技球の返却数をカウントするセンサ（例えば、フォトインタラプタや近接センサ）を備えており、このセンサからの検出信号は、返却数信号として出力され、台コンピュータ３０に入力されている（図２参照）。
【００１８】
さらに、各台計数機１０からは、精算ボタン１１が操作され、発行部１５ａからＩＣコイン８０が発行されると、そのときに記憶部１７に記憶されている計数値と、ＩＣコイン８０に記録されている、当該ＩＣコインを特定可能な固有のＩＤ情報であるコインＩＤとが出力され、台コンピュータ３０を介して、計数値管理装置５０に入力される（図２参照）。
これにより、計数値管理装置５０がコインＩＤ毎に計数値を記憶・管理できるようになっている。
【００１９】
パチンコ機１００は、遊技機の一例であり、表示器に特定の図柄が表示されると所定の入賞口が開放する、いわゆるセブン機である。
パチンコ機１００からは、遊技状態を示す遊技信号として、大当り状態を示す大当り信号、大当りの抽せん確率がアップする確率変動状態を示す確変信号が出力され、遊技球の出入数を示す遊技信号として、パチンコ機１００から払出される遊技球の払出数を示すセーフ信号、パチンコ機１００に投入される遊技球の投入数を示すアウト信号が出力され、台コンピュータ３０とホールコンピュータ７０に入力されている（図２参照）。
【００２０】
台コンピュータ３０は、本発明の計数異常検出装置の一例であり、各台計数機１０とカード式玉貸機２０とパチンコ機１００とから入力される信号に基づいて、各台計数機１０に対する不正計数を検出するとともに、検出した計数異常情報と、各台計数機１０からのコインＩＤと計数値を計数値管理装置５０に、また、パチンコ機１００からの遊技信号をホールコンピュータ７０に中継して送信する情報処理装置として構成されている。
【００２１】
台コンピュータ３０は、中央演算処理装置（ＣＰＵ）、記憶手段（ＲＡＭ、ＲＯＭ）、通信インターフェイスなどを備えるコンピュータで構成され、記憶手段（ＲＯＭ）に記憶されたプログラムが実行されることで、台コンピュータ３０が、貸出された貸出遊技球数（貸出数）を集計する貸出数集計手段、返却された返却遊技球数（返却数）を集計する返却数集計手段、パチンコ機１００で取得された取得遊技球数（取得数）を集計する取得数集計手段、各集計手段で集計された遊技球数に基づいて計数異常を判定する計数異常判定手段として機能するようになっている。
【００２２】
台コンピュータ３０は、カード式玉貸機２０から入力される貸玉数信号と再プレイ玉数信号のそれぞれの入力数を加算して貸出遊技球数（貸出数）を算出し、返却遊技球数（返却数）を、各台計数機１０から入力される返却数信号の入力数から算出する。
また、取得遊技球数（取得数）を、セーフ信号の入力数からアウト信号の入力数を減算して算出する。
さらに、各台計数機１０から入力される計数値信号の入力数から計数値を求める。
【００２３】
また、台コンピュータ３０は、パチンコ機１００から入力される遊技信号に基づいて当該パチンコ機１００の遊技状態を判定している。
例えば、大当り信号が入力されている間は、大当り状態と判定し、確変信号が入力されている間は、確率変動状態と判定し、それ以外を通常遊技状態と判定する。
その結果、通常遊技状態と判定したときの取得数は、通常遊技における取得数であり、大当り状態と判定したときの取得数は、大当りにおける取得数として算出される。
なお、通常遊技では、払出数よりも投入数のほうが多いため、通常遊技における取得数は、負の数となる。
【００２４】
また、台コンピュータ３０は、遊技客の入替りを判定して、遊技客の入替り毎に算出した貸出数と返却数と取得数と計数値を初期化している。
例えば、台コンピュータ３０は、アウト信号の入力間隔を監視することで、遊技客の入替りを判定することができる。
パチンコ遊技では、遊技球を遊技盤内に継続的に投入（発射）して遊技を行うことから、遊技球の投入数を示すアウト信号は一定の間隔で入力される。そこで、所定時間（例えば、１０分）以上の間隔をあけてアウト信号が入力された場合には、遊技客が入替ったものと判定することができる。
また、カード式玉貸機２０に異なる会員情報が記録された会員カードが投入されたときには、遊技客が入替ったものと判定することができる。
また、台コンピュータ３０は、大当り信号が入力された後の通常遊技状態で、大当りで取得した取得数を消費しないうちに（大当りにおける取得数−通常遊技における取得数＞０）、カード式玉貸機２０から貸玉数信号が入力されたときには、遊技客が入替ったものと判定することができる。
そして、このような判定方法により遊技客の入替りと判定されたときには、算出した貸出数と返却数と取得数と計数値を初期化（ゼロクリア）することで、遊技客毎に不正計数を発見できるようになっている。
【００２５】
そして、台コンピュータ３０は、不正計数行為を発見するために、集計した貸出数と返却数と取得数と計数値に基づいて計数異常を以下のように判定する。
台コンピュータ３０が判定する計数異常を、図５を参照しつつ説明する。
図５は、台コンピュータ３０が、一のパチンコ機（例えば、図８の遊技台番号「１２３」）に対し、ある時間帯における単位時間（１分）毎に集計した貸出数と返却数と取得数と計数値に基づいて、計数異常を判定した履歴を時系列的に示した説明図である。
【００２６】
まず、台コンピュータ３０は、電源投入時、又は遊技客の入替りと判定した後に、図５における時間「１１：４０」（返却操作１）に示すように、貸出数がゼロ（０）にもかかわらず、返却数（例えば、５０）があるときには、無条件で計数異常（貸出無異常）と判定する。
返却数信号は、計数部１６ａで計数された計数値があることが前提として、入力される信号である。そのため、貸玉数がゼロ、すなわち、遊技のためにパチンコ機１００に投入する遊技球がなく、計数部１６ａで計数させる遊技球もないにもかかわらず、返却数があることは、遊技を行わずに、計数部１６ａにおいて不正に計数させて、遊技球が返却された以外にはあり得ず、計数値を監視しなくとも、不正計数行為を認定できるからである。
【００２７】
また、台コンピュータ３０は、返却数が貸出数と取得数との加算値を超えたときに、計数異常と判定する。
貸出数と取得数との加算値は、そのときにおける遊技客の持玉数を示している。
持玉数は、遊技客がその時点で所有する全ての遊技球数であるため、返却数が持玉数を超えることは、計数部１６ａにおいて不正に計数させて、遊技球が返却された不正計数行為以外にはあり得ないからである。
そこで、図５における時間「１２：０２」（返却操作２）に示すように、返却数（１０）が、貸出数（１２５）と取得数（−１２０＝−６０−６０）との加算値（５）を超えたときに、計数異常（持玉数超過異常）と判定している。
【００２８】
また、台コンピュータ３０は、貸玉数信号が入力されてからパチンコ機１００から大当り信号が入力されるまでの貸出数に対する返却数の割合が所定の基準値（例えば、２０％）を超えたときに、計数異常と判定する。
貸玉数信号が入力されてからパチンコ機１００から大当り信号が入力されるまでは、通常遊技状態であり、このような状態では、遊技客は、遊技球を定期的に貸出して、遊技に費やしている。
すなわち、遊技客は、通常遊技において、一定量（例えば、貸出料金４円で５００円分に相当する１２５個）の遊技球を貸出すとともに、この遊技球が徐々に減ると、再び一定量を貸出す行為を繰り返している。
【００２９】
このような通常遊技状態では、計数部１６ａにおいて僅かずつ不正に計数されることもあり、この場合には、返却数が持玉数を超えずに、上記の計数異常を判定できないこともある。
例えば、図５における時間「１２：０４」（返却操作３）に示すように、返却数（１０）が、貸出数（１２５）と取得数（−６０）との加算値（６５）を超えていないため、計数異常と判定することができない。
また、同様に、図５における時間「１２：０７」（返却操作４）に示すように、返却数（６０）が、貸出数（１２５）と取得数（−６０）との加算値（６５）を超えていないため、計数異常と判定することができない
【００３０】
そこで、返却数が持玉数を超えないように、徐々に計数値を増加させる不正計数を確実に発見するために、貸出数に対する返却数の割合が所定の基準値（例えば、２０％）を超えたときに、計数異常と判定するようにしてある。
例えば、図５における時間「１２：０７」（返却操作４）に示すように、累計した貸出数（３７５）に対する累計した返却数（８０）の割合（２１．３％）が、所定の基準値（例えば、２０％）を超えたときに、計数異常（基準値超過異常）と判定する。
なお、貸出数に対する返却数の割合の監視は、大当り状態と、大当り後遊技客の入替りがなく、大当り出玉が消化されるまでは行われず、通常遊技となり、新たな貸玉数信号が入力されると監視を開始する。
このように、本実施形態の台コンピュータ３０は、計数値を判定要素に用いることなく、計数異常を判定できるようになっており、特に、通常遊技における貸出数と返却数と取得数とを単位時間毎にリアルタイムに算出して、計数異常を判定するため、不正に計数させて返却した遊技球を用いて行う違法な遊技行為を、遊技の途中において、いち早く発見することができる。
【００３１】
さらに、台コンピュータ３０は、大当り終了後における計数値信号の入力数から求めた計数値が、大当り終了後における計数されたときの取得数と貸出数との加算値、つまり、大当り出玉より多いときに、計数異常と判定する。
不正計数行為は、大当り状態においても行われることもあり、この場合には、計数された遊技球が返却されることなく、そのまま景品交換されることが多いため、上述したような返却数を用いた判定では、発見することが困難である。
そこで、大当り後に計数された遊技球の計数値を、計数値信号の入力数から求めるとともに、この計数値が、大当り終了後における計数されたときの取得数と貸出数との加算値、つまり、大当り出玉（大当り終了時の持玉数）より多いときに、計数異常と判定するようにしてある。
【００３２】
例えば、図５における時間「１２：１７」（大当り終了）に示すように、大当り終了後に計数された遊技球の計数値（２０００）が、大当り終了時の持玉数（１８０５）より多いときに、計数異常と判定する。これにより、大当り状態における不正計数を容易に発見することができる。
なお、取得数と貸出数との加算値（大当り終了時の持玉数）に代えて、大当り出玉の既定値（メーカ設定値や、予め求めた設定値）と比較してもよい。
【００３３】
次に、上述した計数異常の判定処理について、図６を参照して説明する。
図６は、台コンピュータ３０で実行される計数異常の判定処理を示すフローチャートである。
図６に示すように、まず、台コンピュータ３０は、アウト信号の入力間隔や、会員カードの投入等により遊技客の入替りを判定し（Ｓ１０）、入替りがあったときには（Ｓ１０−Ｙｅｓ）、集計した貸出数と返却数と取得数と計数値をゼロで初期化する。
台コンピュータ３０は、貸玉数信号と再プレイ玉数信号の入力数を加算して貸出数を集計するとともに（Ｓ１２）、返却数信号の入力数から返却数を集計する（Ｓ１３）。
また、セーフ信号の入力数からアウト信号の入力数を減算して取得数を集計する（Ｓ１４）。
【００３４】
台コンピュータ３０は、貸出数と返却数を監視している（Ｓ１５）。その結果、貸出数がほぼゼロにもかかわらず、返却数があるときには（Ｓ１５−Ｙｅｓ）、計数異常と判定し（Ｓ１６）、計数異常情報（貸玉無異常）を計数値管理装置５０に送信する。
また、台コンピュータ３０は、返却数と、貸出数と取得数との加算値を監視し（Ｓ１７）、返却数がこの加算値より多いときには（Ｓ１７−Ｙｅｓ）、計数異常と判定し（Ｓ１８）、計数異常情報（持玉超過異常）を計数値管理装置５０に送信する。
【００３５】
また、台コンピュータ３０は、パチンコ機１００の遊技状態を監視している（Ｓ１９）。
そして、大当り（確変も含む）以外のときには（Ｓ１９−Ｎｏ）、貸出数に対する返却数の割合を監視し（Ｓ２０）、この割合が所定の基準値を超えたときには（Ｓ２０−Ｙｅｓ）、計数異常と判定し（Ｓ２０）、計数異常情報（基準値超過異常）を計数値管理装置５０に送信する。
一方、大当りのときには（Ｓ１９−Ｙｅｓ）、大当り後の計数値と大当り出玉を監視し（Ｓ２２）、計数値が大当り出玉を超えているときには（Ｓ２２−Ｙｅｓ）、計数異常と判定し（Ｓ２１）、計数異常情報（大当り出玉超過異常）を計数値管理装置５０に送信する。
このようなフローチャートは、記憶手段（ＲＯＭ）にプログラムとして記憶され、このプログラムが実行されることで、台コンピュータ３０が、集計した貸出数と返却数と取得数と計数値に基づいて、計数異常を判定する計数異常判定手段として機能するようになっている。
【００３６】
さらに、台コンピュータ３０は、ＩＣコイン８０の発行時間の間隔を監視し、頻繁なＩＣコイン８０の発行を計数異常として判定するようになっている。図７は、台コンピュータ３０で実行されるＩＣコイン８０の発行間隔を監視する処理を示すフローチャートである。
本実施形態では、計数値は、ＩＣコイン８０（コインＩＤ）毎に計数値管理装置５０において記憶・管理され、景品交換装置６０に設けられたＩＣコインリーダ６０ａで、ＩＣコイン８０からコインＩＤを読取ることで、景品交換装置６０がこのコインＩＤに対応する計数値を計数値管理装置５０から取得して、景品交換を行うようになっている。
景品交換の際に計数値があまりに多いと不正計数を疑われることから、不正行為者の多くは、一回の計数値を少なくして、複数回に亘って景品交換を行う。
そのために、一の各台計数機１０において不正計数行為とＩＣコイン８０の発行を繰り返して行い、コインＩＤの異なる複数のＩＣコイン８０を不正仲間に配布し、複数人で景品交換を分担するようになっている。
そこで、台コンピュータ３０は、ＩＣコイン８０の発行間隔を監視し、異なるコインＩＤを有するＩＣコイン８０の頻繁な発行を計数異常として判定するようになっている。
【００３７】
具体的には、台コンピュータ３０は、ＩＣコイン８０の発行を監視している（Ｓ３０）。
ＩＣコイン８０が発行されると（Ｓ３０−Ｙｅｓ）、タイマをセットして所定時間の計時を開始する（Ｓ３１）。
さらに、台コンピュータ３０は、このタイマを計時しつつ、異なるコインＩＤを有するＩＣコイン８０の発行を監視する（Ｓ３２）。そして、異なるコインＩＤを有するＩＣコイン８０が発行され（Ｓ３２−Ｙｅｓ）、その時点でタイムアップしているときには（Ｓ３３−Ｙｅｓ）、処理を終了し、タイムアップしていないときは（Ｓ３３−Ｎｏ）、計数異常と判定し（Ｓ３４）、計数異常情報（発行異常）を計数値管理装置５０に送信する。これにより、所定時間（例えば、５分）に複数回に亘ってコインＩＤの異なるＩＣコイン８０を発行させる不正計数行為を容易に発見できる（例えば、図８の「発行異常」を参照）。
【００３８】
計数値管理装置５０は、計数値管理装置の一例であって、遊技機島毎に設置された島コンピュータ４０（中継情報処理装置）を介して台コンピュータ３０と接続されている情報処理装置である。
計数値管理装置５０は、台コンピュータ３０から送信される各種の計数異常（貸出無異常、持玉超過異常、基準値超過異常、大当り出玉超過異常、発行異常）と、ＩＣコイン８０が発行される毎に各台計数機１０から送信される計数値とコインＩＤを、関連付けて記憶・管理している。
計数値管理装置５０には、液晶ディスプレイなどの表示手段を備え、各種の計数異常をリアルタイムで表示するとともに、計数値をコインＩＤ毎に表示する。
また、計数値管理装置５０は、店員が所持するインカムと通信可能に接続され、音声合成により、各種の計数異常を店員に報知するようになっている。
これにより、遊技場の管理者や店員は、不正計数行為を素早く察知し、対策を講じることができる。
【００３９】
ここで、計数値管理装置５０が関連付けて記憶・管理している、コインＩＤ毎の計数値と計数異常を図８に示す。
図８は、計数値管理装置５０に記憶されているコインＩＤ毎の計数値と計数異常を示す説明図である。
この図に示すように、計数値管理装置５０は、コインＩＤ毎に、ＩＣコイン８０の発行時間、計数値、発行された各台計数機１０に対応する遊技台番号、このＩＣコイン８０の発行前に送信された計数異常情報（計数異常の種類）を記憶している。
そして、計数値管理装置５０は、景品交換に際して景品交換装置６０からコインＩＤが送信されたときに、このコインＩＤに対応する計数値、計数異常情報（計数異常の種類）、遊技台番号を景品交換装置６０に返送するようになっている。
【００４０】
景品交換装置６０は、景品交換処理装置の一例であり、遊技客から提示されたＩＣコイン８０からコインＩＤを読取るＩＣコインリーダ６０ａを備え、読取ったコインＩＤを上記の計数値管理装置５０に送信するとともに、計数値管理装置５０が記憶・管理するコインＩＤ毎の計数値、計数異常情報、遊技台番号を受信して、所定の景品交換処理を行う情報処理装置である。
景品交換装置６０は、液晶ディスプレイなどの表示手段を備え、送信するコインＩＤに対応して計数値管理装置５０から受信する各種の計数異常情報を表示するとともに、計数値をコインＩＤ毎に表示する。
これにより、景品交換を行う店員は、計数異常情報が表示されたときには、このコインＩＤに対応するＩＣコイン８０を提示した遊技客を不正行為者と認定することができる。
【００４１】
また、景品交換装置６０は、計数値管理装置５０から受信した遊技台番号をホールコンピュータ７０に送信して、ホールコンピュータ７０が記憶・管理する当該遊技台番号に対応するパチンコ機１００の遊技データを受信して、計数値管理装置５０から受信した計数値と遊技データ（貸出数、取得数）を比較して、計数異常の判定を行うようになっている。
具体的には、計数値は、貸出数と取得数の加算値を超えることはあり得ないので、景品交換装置６０は、ホールコンピュータ７０から受信した貸出数と取得数を加算するとともに、この加算値と計数値管理装置５０から受信した計数値とを比較して、計数値が加算値を超えたときに、計数異常と判定することもできる。
これにより、台コンピュータ３０で行われる返却数に基づいた計数異常の監視に加え、計数値に基づいても計数異常を監視できる。
【００４２】
ホールコンピュータ７０は、パチンコ機１００とカード式玉貸機２０から、台コンピュータ３０及び島コンピュータ４０を介して送信される、遊技信号（大当り信号、確変信号、セーフ信号、アウト信号）、貸玉数信号、再プレイ玉数信号を収集して、所定の遊技データを集計・管理する情報処理装置である。
このホールコンピュータ７０は、台コンピュータ３０と同様に、パチンコ機毎の貸出数、取得数を集計するようになっている。
これにより、ホールコンピュータ７０は、景品交換に際して景品交換装置６０から遊技台番号が送信されたときに、この遊技台番号に対応する貸出数、取得数を景品交換装置６０に返送するようになっている。
【００４３】
以上のように構成された遊技場管理システム１において送受される情報について図９を参照しつつ説明する。
図９は、遊技場管理システム１の各装置間で送受される情報の流れを示すフローチャートである。
同図に示すように、まず、台コンピュータ３０において、計数異常が判定されると（Ｓ４０−Ｙｅｓ）、リアルタイムに計数異常情報が計数値管理装置５０に送信される（Ｓ４１）。計数値管理装置５０は、計数異常情報を受信すると（Ｓ４２）、計数異常を表示手段や店内放送（例えば、インカム）などの報知手段により、遊技場関係者に報知する（Ｓ４３）。
また、台コンピュータ３０は、各台計数機１０からのＩＣコイン８０の発行に基づいてコインＩＤを受信すると（Ｓ４４）、コインＩＤと受信した計数値を、計数値管理装置５０に送信する（Ｓ４５）。
計数値管理装置５０は、コインＩＤと計数値を受信すると（Ｓ４６）、受信したコインＩＤ毎に計数値、計数異常情報、遊技台番号を記憶する（Ｓ４７）。
【００４４】
景品交換装置６０は、ＩＣコインリーダ６０ａでコインＩＤを読取ると、読取ったコインＩＤを計数値管理装置５０に送信する（Ｓ４８）。
計数値管理装置５０は、景品交換装置６０からコインＩＤを受信すると（Ｓ４９）、このコインＩＤに対応する計数値、計数異常情報、遊技台番号を景品交換装置６０に送信する。
景品交換装置６０は、読取ったコインＩＤに対応する計数値、計数異常情報、遊技台番号を計数値管理装置５０から受信すると（Ｓ５１）、この受信した遊技台番号をホールコンピュータ７０に送信する（Ｓ５２）。
ホールコンピュータ７０は、景品交換装置６０から遊技台番号を受信すると（Ｓ５３）、この遊技台番号に対応する遊技データを景品交換装置６０に送信する（Ｓ５４）。
景品交換装置６０は、計数値管理装置５０から計数異常情報を受信したときには（Ｓ５６−Ｙｅｓ）、計数異常情報を表示手段に表示する。
また、景品交換装置６０は、ホールコンピュータ７０から受信した遊技データ（貸出数、取得数）より、これらの加算値を算出し、この加算値と、計数値管理装置５０から受信した計数値とを比較し（Ｓ５８）、計数値が加算値を超えたときに、計数異常情報を表示手段に表示する（Ｓ５７）。
これにより、景品交換を行う際に、店員が不正計数行為者を特定できる。
【００４５】
以上説明したように、本実施形態に係る計数異常検出装置（台コンピュータ１０）と、この計数異常検出装置を備える遊技場管理システムによれば、返却数を監視することで、遊技の途中においても、各台計数機１０に対する不正計数を発見できる。また、景品交換の際に、不正計数行為者を特定できる。
【００４６】
以上、本発明の計数異常検出装置と、この計数異常検出装置を備える遊技場管理システムについて、好ましい実施形態を示して説明したが、本発明に係る計数異常検出装置は、上述した実施形態にのみ限定されるものではなく、本発明の範囲で種々の変更実施が可能であることはいうまでもない。
【００４７】
例えば、本実施形態では、各台計数機１０とカード式玉貸機２０は、本実施形態では別体としたが、計数手段と返却手段と貸出手段とが一体となった遊技媒体貸出装置を使用することもできる。
また、本実施形態では、台コンピュータ３０を計数異常検出装置としたが、島コンピュータ４０、又は計数値管理装置５０、又は景品交換装置６０、又はホールコンピュータ７０を計数異常検出装置とすることもできる。
この場合には、各台計数機１０、カード式玉貸機２０、パチンコ機１００からの信号をこれらの装置に入力することで足りる。
また、適用可能な遊技機としてパチンコ機に限らず、遊技媒体としてメダルを使用するスロットマシンも対象とすることもできる。これに伴い、カード式玉貸機２０は、メダル貸出手段を、各台計数機１０はメダル計数手段とメダル返却手段を、有する遊技媒体貸出装置に変更可能であることはいうまでもない。
【産業上の利用可能性】
【００４８】
本発明は、遊技機毎に設置されている各台計数機に対する不正計数を監視する装置として広く利用することができる。
【符号の説明】
【００４９】
１  遊技場管理システム
１０  各台計数機
２０  カード式玉貸機
３０  台コンピュータ
４０  島コンピュータ
５０  計数値管理装置
６０  景品交換装置
７０  ホールコンピュータ
８０  ＩＣコイン
１００  パチンコ機（遊技機）
【図１】
2010263987.tif 000003
【図２】
2010263987.tif 000004
【図３】
2010263987.tif 000005
【図４】
2010263987.tif 000006
【図５】
2010263987.tif 000007
【図６】
2010263987.tif 000008
【図７】
2010263987.tif 000009
【図８】
2010263987.tif 000010
【図９】
2010263987.tif 000011